(57)【要約】【課題】本開示は、コンベヤシステムを提供する。【解決手段】当該コンベヤシステムは、それぞれが機械読み取り及び書き込み可能なタグ（Ｔ）を備え、搬送の間に少なくとも１つのワークピースを支持するよう適用される複数のワークピースキャリア（ＷＰＣ）を備える。システムは、さらに、それぞれがワークピースキャリア（ＷＰＣ）を搬送及び循環するように適用されたエンドレスコンベヤの形態を有する分配ハイウェイコンベヤ（ＤＨＣ１、ＤＨＣ２）と、フローバランシングコンベヤ（ＦＢＣ）と、オペレーションユニットコンベヤ（ＯＵＣ１、ＯＵＣ２、ＯＵＣ３、ＯＵＣ４）とを備える。システムの制御は、コンベヤ間に配置された自律式切り替え制御装置（１１、１１ａ、１１ｂ、１１ｄ；１３ａ、１３ｂ）によって行われ、各交差点でのワークピースキャリア（ＷＰＣ）のフローが制御される。【選択図】        図１
2019507079.tif 000002
【特許請求の範囲】
【請求項１】
複数のワークピースキャリアであって、それぞれ機械読み取り及び書き込み可能なタグを備え、搬送の間に少なくとも１つのワークピースを支持するように適用されたワークピースキャリアと、
それぞれが前記ワークピースキャリアを搬送及び循環するように適用されたエンドレスコンベヤの形態を有する少なくとも２つの分配ハイウェイコンベヤと、
前記ワークピースキャリアを搬送するように構成されたエンドレスコンベヤの形態を有する少なくとも１つのフローバランシングコンベヤと、
を備え、
前記分配ハイウェイコンベヤは、前記フローバランシングコンベヤを介して連結され、前記ワークピースキャリアは、１つの前記分配ハイウェイコンベヤから前記フローバランシングコンベヤを介して他の前記分配ハイウェイコンベヤへと通過可能であり、
それぞれが前記ワークピースキャリア（ＷＰＣ）を搬送するように適用されたエンドレスコンベヤの形態を有する少なくとも２つのオペレーションユニットコンベヤを備え、
前記オペレーションユニットコンベヤは、対応する前記分配ハイウェイからワークピースキャリアを受け取り、オペレーションステーションへと移動させ、前記オペレーションステーションにおける処理の後に前記ワークピースキャリアを前記分配ハイウェイに戻すように配置され、
各タグ書き込み装置は、次のオペレーションステーションアドレスを導出し、当該アドレスを、前記オペレーションステーションにおける処理の後に前記ワークピースキャリアの前記タグに書き込むように構成され、
コンベヤ間の各交差点に配置され、前記各交差点での前記ワークピースキャリアのフローを制御する自律式切り替え制御装置を備える、、
ことを特徴とするコンベヤシステム。
【請求項２】
自律式オペレーションステーション制御装置（１２ａ、１２ｂ、１２ｃ、１２ｄ）が、各オペレーションステーション（ＯＳ１、ＯＳ２、ＯＳ３、ＯＳ４）に、各前記オペレーションステーションでの前記ワークピースキャリアのフローを制御するように配置される、ことを特徴とする請求項１に記載のシステム。
【請求項３】
前記オペレーションステーション制御装置は、前記メモリタグを読み取り、前記ワークピースへのオペレーションを開始するように、対応する前記オペレーションステーションへ指令を提供するように構成される、ことを特徴とする請求項２に記載のシステム。
【請求項４】
前記オペレーションステーション制御装置は、前記タグ書き込み装置を備え、前記オペレーションステーションで行われたオペレーションの終了に応じて次のオペレーションステーションアドレスを導出し、次のオペレーションステーションアドレスを前記メモリタグに書き込むように構成される、ことを特徴とする請求項２または３に記載のシステム。
【請求項５】
前記ワークピースキャリアは、前記コンベヤに対して、自重による摩擦によって取り外し可能に係合される、ことを特徴とする先行する請求項のいずれか１項に記載のシステム。
【請求項６】
第１及び第２のフローバランシング切り替え制御装置が、前記フローバランシングコンベヤと各分配ハイウェイコンベヤとの間の交差点に配置される、ことを特徴とする先行する請求項のいずれか１項に記載のシステム。
【請求項７】
前記第１のフローバランシング切り替え制御装置は、前記フローバランシングコンベヤと第１の分配ハイウェイコンベヤとの上流側の交差点に配置され、
積載されたワークピースキャリアが、前記フローバランシングコンベヤ上の積載されたワークピースキャリアが所定の数になるまで、前記フローバランシングコンベヤへと移動することを許容し、
所定の数のみの空のワークピースキャリアが、前記第１の分配ハイウェイコンベヤから前記フローバランシングコンベヤへと移動が許容された積載されたワークピースキャリアに対応する数に応じて、前記第１のフローバランシングコンベヤから前記第１の分配ハイウェイコンベヤへと移動すること、あるいはその逆を許容する、
ように構成される、ことを特徴とする請求項６に記載のシステム。
【請求項８】
前記第２のフローバランシング切り替え制御装置は、前記フローバランシングコンベヤと第２の分配ハイウェイコンベヤとの下流側の交差点に配置され、
空のワークピースキャリアが、前記フローバランシングコンベヤ上の空のワークピースキャリアが所定の数になるまで、前記第２の分配ハイウェイコンベヤから前記フローバランシングコンベヤへと移動することを許容し、
所定の数のみの積載されたワークピースキャリアが、前記第２の分配ハイウェイコンベヤから前記フローバランシングコンベヤへと移動が許容された空のワークピースキャリアの対応する数に応じて、前記フローバランシングコンベヤから前記第２の分配ハイウェイコンベヤへと移動すること、あるいはその逆を許容する、
ように構成される、ことを特徴とする請求項６または７に記載のシステム。
【請求項９】
前記フローバランシング切り替え制御装置は、前記メモリタグを読み取り、前記フローバランシングコンベヤへのフロー及び／または前記フローバランシングコンベヤからのフローを、前記メモリタグに含まれるデータに基づいて制御するように構成される、ことを特徴とする請求項６乃至８のいずれか１項に記載のシステム。
【請求項１０】
前記フローバランシング切り替え制御装置は、タグ書き込み部を備え、どのフローバランシングコンベヤ及び分配ハイウェイコンベヤに前記ワークピースキャリアが配置されるかを示すように前記メモリタグを更新するように構成される、ことを特徴とする請求項６乃至９のいずれか１項に記載のシステム。
【請求項１１】
オペレーションユニットコンベヤ切り替え制御装置が、オペレーションユニットコンベヤと対応する前記分配ハイウェイコンベヤとの間の交差点に配置される、ことを特徴とする先行する請求項のいずれか１項に記載のシステム。
【請求項１２】
前記オペレーションユニット切り替え制御装置（１１、１１ａ、１１ｂ、１１ｃ、１１ｄ）は、前記分配ハイウェイコンベヤに到達するワークピースキャリアの前記メモリタグ（Ｔ）を読み取り、前記メモリタグに含まれるデータが前記オペレーションユニットコンベヤ（ＯＵＣ、ＯＵＣ１、ＯＵＣ２、ＯＵＣ３、ＯＵＣ４）に対応するアドレスを示す場合、前記ワークピースキャリアが当該オペレーションユニットコンベヤへ移動することを許容するように構成される、ことを特徴とする請求項１１に記載のシステム。
【請求項１３】
前記オペレーションユニット切り替え制御部は、ワークピースキャリアが、前記オペレーションユニットコンベヤ上のワークピースキャリアが所定の数になるまで、前記オペレーションユニットコンベヤに移動することを許容するように構成される、ことを特徴とする請求項１２に記載のシステム。
【請求項１４】
前記オペレーションユニット切り替え制御装置は、
前記オペレーションユニットコンベヤに到達するワークピースキャリアを検出し、
前記分配ハイウェイコンベヤに到達するワークピースキャリアを検出し、
衝突のリスクがない場合、前記オペレーションユニットコンベヤに到達するワークピースが、前記分配ハイウェイに移動することを許容する、
ように構成される、ことを特徴とする請求項１２または１３に記載のシステム。
【請求項１５】
前記オペレーションユニット切り替え制御装置は、前記オペレーションユニットコンベヤに到達するワークピースキャリアの前記メモリタグを読み取り、前記メモリタグに含まれるデータが、当該オペレーションユニットコンベヤに対応しないアドレスを示す場合、前記ワークピースキャリアが前記分配ハイウェイコンベヤへ移動することを許容するように構成される、ことを特徴とする請求項１１乃至１４のいずれか１項に記載のシステム。
【発明の詳細な説明】
【技術分野】
【０００１】
本開示は、オペレーティングステーションのセット間でワークピースを移動させるためのコンベヤシステムに関する。
【０００２】
コンベヤシステムは、自律式製造システム、つまり、人間の介在なしにオペレーションステーション間でワークピースを搬送するシステムを提供することに好適である。
【背景技術】
【０００３】
コンベヤシステムは、異なる種類のオペレーションステーション間でワークピースを移動させるために多様な製造産業において使用される。
【０００４】
このようなコンベヤシステムのセットアップは、通常、多大なプログラミングを含み、制御ソフトウェアは、各ワークピース及び各オペレーションステーションを追跡し続けるとともに、各センサ及び各アクチュエータを制御する必要がある。
【０００５】
製造システムを変更する場合、意図しないバッファが形成されないように、オペレーションステーションを設置あるいは撤去し、システムをリバランスすることは、通常非常に困難な課題である。これは、さらに制御ソフトウェアを変更することを含み、通常多大な労力を要する。
【０００６】
また、損耗や停止は、時間と共にシステム上の偏流を生じさせ、リバランスの必要を生じさせ、ひいては、制御ソフトウェアの再プログラミングを要する。
【０００７】
従って、インストールがより簡単でコストを低減し、変更がより簡単でコストを低減し、ロバストなコンベヤシステムが求められている。
【発明の概要】
【発明が解決しようとする課題】
【０００８】
そこで、全体の目的は、改良された自律式コンベヤシステム、特に、より低コストでインストール及びメンテナンスが可能で、よりロバストなシステムを提供することである。
【課題を解決するための手段】
【０００９】
本発明は付属する独立請求項、従属請求項に記載される実施の形態、以下の詳細な説明、ならびに図面によって定義される。
【００１０】
第１の様態によれば、複数のワークピースキャリアであって、それぞれ機械読み取り及び書き込み可能なタグを備え、搬送の間に少なくとも１つのワークピースを支持するように適用されたワークピースキャリアと、それぞれが前記ワークピースキャリアを搬送及び循環するように適用されたエンドレスコンベヤの形態を有する少なくとも２つの分配ハイウェイコンベヤと、前記ワークピースキャリアを搬送するように適用されたエンドレスコンベヤの形態を有する少なくとも１つのフローバランシングコンベヤと、を備えるコンベヤシステムが提供される。前記分配ハイウェイコンベヤは、前記フローバランシングコンベヤを介して連結され、前記ワークピースキャリアは、１つの前記分配ハイウェイコンベヤから前記フローバランシングコンベヤを介して他の前記分配ハイウェイコンベヤへと通過可能である。このシステムは、さらに、それぞれが前記ワークピースキャリアを搬送するように適用されたエンドレスコンベヤの形態を有する少なくとも２つのオペレーションユニットコンベヤを備える。前記オペレーションユニットコンベヤは、対応する分配ハイウェイからワークピースキャリアを受け取り、オペレーションステーションへと移動させ、前記オペレーションステーションにおける処理後に前記ワークピースキャリアを前記分配ハイウェイに戻すように構成される。各タグ書き込み装置は、次のオペレーションステーションアドレスを導出し、当該アドレスを、前記オペレーションステーションにおける処理後に前記ワークピースキャリアの前記タグに書き込むように構成される。前記システムは、コンベヤ間の各交差点に配置され、前記各交差点での前記ワークピースキャリアのフローを制御する自律式切り替え制御装置を備える。
【００１１】
ワークピースキャリアは、コンベヤ上で搬送され、単一あるいは複数の処理中のワークピースを搬送するように適用される任意の種類のキャリアであってよい。キャリアの例は、例えば集積回路や回路基板用のキャリアである比較的小型のキャリア、あるいは例えばエンジン、ギアボックス、機械もしくは自動車のシャーシ用のキャリアである比較的大型のキャリア、またはその他のキャリアであってよい。キャリアは、例えば塗装用途において一般的であるように、コンベヤ下につるされたワークピースを保持するよう配置されてもよい。
【００１２】
タグは、機械で読み取り可能な任意の種類のタグである。好ましくは、タグは、書き込み可能及び／または消去可能なメモリである。タグは、任意のインターフェイス、例えば、これらに限定されないが、ｗｉｆｉ（登録商標）、Ｂｌｕｅｔｏｏｔｈ（登録商標）、ＲＦＩＤもしくはＮＦＣ等の無線インターフェイス、あるいは、電気式もしくは光学式インターフェイスを介して通信してよい。任意の種類のメモリ技術を採用可能である。
【００１３】
コンベヤは、チェーン式コンベヤであってよい。このようなコンベヤは、公知であり、多数の幅が利用可能である。各コンベヤの長さ及び経路は、必要に応じて、また利用可能なスペースに応じて、任意に決定可能である。
【００１４】
「循環」の語は、コンベヤがエンドレスであり、ワークピースキャリアが、コンベヤのトラックに沿って流れることを許容するように適用されることを意味する。エンドレスコンベヤは、真に単一のエンドレスコンベヤチェーン、あるいは、一体となってエンドレスな経路を形成し、それに沿ってワークピースキャリアが循環する複数のコンベヤチェーンあるいはベルトによって形成され得る。
【００１５】
「自律」の語は、制御装置が、その通常動作を外部あるいは中央装置なしで実行することを意味する。つまり、通常動作において、制御装置はいかなる中央制御部からも制御信号を受信しない。
【００１６】
例えば、制御装置は、停止制御機能あるいは切り替え制御機能等の単一の機能のみを提供するようにハードコード化される。
【００１７】
任意に、制御装置は、限られた数の所定の機能のいずれか、例えば、停止制御機能あるいは切り替え制御機能等、に対して選択的に設定されてよい。当該選択は、制御装置自体のユーザインターフェイスを介して行われる。代替として、機能の選択は、無線等の遠隔によって行われる、あるいは、有線インターフェイスを介して行われてよい。
【００１８】
プログラミングされた機能が選択されると、制御装置には、機能を他のプログラミングされた機能へ切り替えることを除いて、さらなる調整を行う、あるいは、影響を与えることが出来なくなる。複数の制御装置は、同一のハードウェアによって形成されてよく、両方の機能を提供するコンピュータコードが不揮発性メモリに記憶され、機能は選択可能であり、各制御装置は切り替え制御装置あるいは停止制御装置として設定可能である。
【００１９】
オペレーティングステーションは、例えば機械加工（例えば、ラス張り、切断、フライス削り、ドリル加工、研削)、接着（溶接、半田付け、ろう付け、接着剤による接着、溶融接着等)、検査（例えば、測定、スキャン)、表面処理（例えば、塗装、ブラスティング、ポリッシュ、電気めっき、ＰＶＤあるいは他の種の材料堆積)、アセンブリング、テストあるいはパッケージング等、の任意の種類の製造関連オペレーションを提供するように配置される。オペレーションは、完全あるいは部分的に自動化されていてもよいし、完全に手動であってもよい。
【００２０】
上記のコンベヤシステムは、それぞれが自立的に動作する限られた数のスタンダードな構成要素によって形成されるので、全体的あるいは部分的に上記の目的を達成する。ただ一つ必要とされるプログラミング／制御は、タグ書き込み部であり、ワークピースの種類及び実行されたオペレーションに基づいて次のオペレーションを決定するためのルールのセットを含む。
【００２１】
システムは、さらに、各オペレーションステーションに配置された自律式オペレーションステーション制御装置を備えてもよく、当該装置は、各前記オペレーションステーションでの前記ワークピースキャリアのフローを制御するように配置されてもよい。
【００２２】
前記（あるいは各）オペレーションステーション制御装置は、前記メモリタグを読み取り、前記ワークピースへのオペレーションを開始するように対応する前記オペレーションステーションへ指示を提供するように構成されてよい。
【００２３】
前記（あるいは各）オペレーションステーション制御装置は、前記タグ書き込み装置を備えてもよく、前記オペレーションステーションで行われたオペレーションの終了に応じて次のオペレーションステーションアドレスを導出し、次のオペレーションステーションアドレスを前記メモリタグに書き込むように構成されてもよい。
【００２４】
システムにおいて、前記タグは、ワークピースの次の行き先および任意のワークピースに関する情報を記憶するように構成され得る。前記アドレスは、どのコンベヤにワークピースキャリアが移動すべきかを導出可能に構成される。
【００２５】
前記タグは、どの種のワークピースが搬送されているか、あるいはキャリアが空の場合、どのステーションに次にワークピースが進むべきかを示す情報のみを要する。より簡略化されたシステムにおいては、１種の製品のみが扱われ、メモリ内でワークピースの種類を示す必要がない。
【００２６】
前記ワークピースキャリアは、前記コンベヤに対して、自重による摩擦によって取り外し可能に係合されてもよい。
【００２７】
従って、ワークピースキャリアのいずれかは、コンベヤの動作なし、ひいてはコンベヤによって現在搬送されている他のワークピースキャリアへの影響なしに停止され得る。
【００２８】
少なくとも１つのオペレーションユニットコンベヤは、少なくとも１つのローディング及び／またはアンローディングステーションを備えてよい。
【００２９】
ローディング及び／またはアンローディングステーションは、ワークピースがワークピースキャリアに積載される、あるいはワークピースがワークピースキャリアから荷下されるステーションを含んでよい。
【００３０】
好ましくは、オペレーションユニットコンベヤのいずれか１つのみが１つ以上のローディングステーションを含み、オペレーションユニットコンベヤのいずれか１つのみが１つ以上のアンローディングステーションを含む。
【００３１】
前記分配ハイウェイコンベヤは、オペレーションステーションから自由であってもよい。
【００３２】
システムにおいて、第１及び第２のフローバランシング切り替え制御装置が、前記フローバランシングコンベヤと各分配ハイウェイコンベヤとの間の交差点に配置されてもよい。
【００３３】
前記第１のフローバランシング切り替え制御装置は、前記フローバランシングコンベヤと第１の分配ハイウェイコンベヤとの上流側の交差点に配置され、積載されたワークピースキャリアが、前記フローバランシングコンベヤ上の積載されたワークピースキャリアが所定の数になるまで、前記フローバランシングコンベヤへと移動することを許容し、所定の数のみの空のワークピースキャリアが、前記第１の分配ハイウェイコンベヤから前記フローバランシングコンベヤへと移動が許容された積載されたワークピースキャリアに対応する数に応じて、前記第１のフローバランシングコンベヤから前記第１の分配ハイウェイコンベヤへと移動すること、あるいはその逆を許容するように構成されてもよい。
【００３４】
従って、例えば、前記フローバランシングコンベヤは、積載されたワークピースキャリアが去った後に空のワークピースキャリアが入ることのみ、あるいはその逆のみを許容するように構成されてよい。
【００３５】
別の選択肢として、前記フローバランシング切り替え制御装置は、特定の分配ハイウェイコンベヤに入る積載されたワークピースキャリア、及び特定の分配ハイウェイコンベヤから去る空のワークピースキャリアとの間に限られた差を許容してもよい。このような差は、１−５、好ましくは１−３に限定される。
【００３６】
また、ワークピースキャリアが前記フローバランシングコンベヤに収容されたことに応じて、ワークピースキャリアを前記分配ハイウェイコンベヤにリリースする、あるいはワークピースキャリアが前記分配ハイウェイコンベヤにリリースされたことに応じて、ワークピースキャリアを前記フローバランシングコンベヤに収容することも可能である。
【００３７】
前記第２のフローバランシング切り替え制御装置は、前記フローバランシングコンベヤと第２の分配ハイウェイコンベヤとの下流側の交差点に配置され、
空のワークピースキャリアが、前記フローバランシングコンベヤ上の空のワークピースキャリアが所定の数になるまで、前記第２の分配ハイウェイコンベヤから前記フローバランシングコンベヤへと移動することを許容し、
所定の数のみの積載されたワークピースキャリアが、前記第２の分配ハイウェイコンベヤから前記フローバランシングコンベヤへと移動が許容された空のワークピースキャリアの対応する数に応じて、前記フローバランシングコンベヤから前記第２の分配ハイウェイコンベヤへと移動すること、あるいはその逆を許容するように構成されてもよい。
【００３８】
前記フローバランシング切り替え制御装置は、前記メモリタグを読み取り、前記フローバランシングコンベヤへのフロー及び／または前記フローバランシングコンベヤからのフローを、前記メモリタグに含まれるデータに基づいて制御するように構成されてもよい。
【００３９】
別の選択肢として、前記フローバランシング切り替え制御装置は、タグ書き込み部を備え、どのフローバランシングコンベヤ及び分配ハイウェイコンベヤに前記ワークピースキャリアが配置されるかを示すように前記メモリタグを更新するように構成されてもよい。
【００４０】
どのコンベヤにワークピースキャリアがあるかを示すことで、しばしば手動でワークピースキャリアを一つのコンベヤから他のコンベヤに移動させるオペレータの問題に対処できる。
【００４１】
一つのフローバランシングコンベヤに対応する前記フローバランシング切り替え制御装置は、互いに一体化されてもよく、従ってフローバランシングコンベヤに関連する両スイッチとして機能し、また上記の機能を提供する単一の制御装置を効率よく提供できる。
【００４２】
前記フローバランシングコンベヤは、オペレーションステーションから自由であってよい。
【００４３】
前記フローバランシングコンベヤは、分配ハイウェイコンベヤの２つ以上のグループに接続されるコンベヤであってよい。しかしながら、前記フローバランシングコンベヤ自体は、いずれのオペレーションステーションあるいはいずれのオペレーションユニットコンベヤにも接続されない。
【００４４】
オペレーションユニットコンベヤ切り替え制御装置は、オペレーションユニットコンベヤと、対応する前記分配ハイウェイコンベヤとの間の交差点に配置されてもよい。
【００４５】
前記オペレーションユニット切り替え制御装置は、前記分配ハイウェイコンベヤに到達するワークピースキャリアの前記メモリタグを読み取り、前記メモリタグに含まれるデータが前記オペレーションユニットコンベヤに対応するアドレスを示す場合、前記ワークピースキャリアを当該オペレーションユニットコンベヤへ移動させることを許容するように構成されてもよい。
【００４６】
前記オペレーションユニット切り替え制御装置は、ワークピースキャリアが、前記オペレーションユニットコンベヤ上のワークピースキャリアが所定の数になるまで、前記オペレーションユニットコンベヤに移動することを許容するように構成されてもよい。
【００４７】
前記オペレーションユニット切り替え制御装置は、前記オペレーションユニットコンベヤに到達するワークピースキャリアを検出し、前記分配ハイウェイコンベヤに到達するワークピースキャリアを検出し、衝突のリスクがない場合、前記オペレーションユニットコンベヤに到達するワークピースが、前記分配ハイウェイに移動することを許容するように構成されてもよい。
【００４８】
前記オペレーションユニット切り替え制御装置は、前記オペレーションユニットコンベヤに到達するワークピースキャリアの前記メモリタグを読み取り、前記メモリタグに含まれるデータが、当該オペレーションユニットコンベヤに対応しないアドレスを示す場合、前記ワークピースキャリアが前記分配ハイウェイコンベヤへ移動することを許容するように構成されてもよい。
【図面の簡単な説明】
【００４９】
【図１】本開示に係るコンベヤシステムの概略図である。
【図２】オペレーションユニット切り替え制御装置（ＯＵＣＤＸ）の概略図である。
【図３】オペレーションユニット停止制御装置（ＯＵＣＤＳ）の概略図である。
【図４】フローバランシング切り替え制御装置（ＦＢＣＤＸ）の概略図である。
【発明を実施するための形態】
【００５０】
本開示に係るシステムは、オペレーションステーション間でワークピースを搬送するためのシステムである。ワークピースは、ワークピースキャリア上で搬送される。分配ハイウェイコンベヤのそれぞれに対して、１つ以上のオペレーションユニットコンベヤが接続される。各オペレーションユニットコンベヤは、対応する分配ハイウェイコンベヤからオペレーションステーションへワークピースを運ぶように適用され、ここでワークピースに対してオペレーションが行われる。
【００５１】
図１は、本開示に係るコンベヤシステムの概略図である。このコンベヤシステムは、フローバランシングコンベヤＦＢＣによって分離される第１及び第２の分配ハイウェイコンベヤＤＨＣ１、ＤＨＣ２を備える。
【００５２】
第１の分配ハイウェイコンベヤＤＨＣ１は、ワークピースキャリアＷＰＣをペアのオペレーションステーションＯＳ１、ＯＳ２に運ぶよう適用され、各オペレーションステーションは、各オペレーションユニットコンベヤＯＵＣ１、ＯＵＣ２によって第２の分配ハイウェイコンベヤに接続される。
【００５３】
第２の分配ハイウェイコンベヤＤＨＣ２は、別のペアのオペレーションステーションＯＳ３、ＯＳ４にワークピースキャリアＷＰＣを運ぶように適用され、各オペレーションステーションは、各オペレーションユニットコンベヤＯＵＣ３、ＯＵＣ４によって第２の分配ハイウェイコンベヤに接続される。
【００５４】
第１及び第２の分配ハイウェイコンベヤＤＨＣ１、ＤＨＣ２は、フローバランシングコンベヤＦＢＣによって接続される（図４参照）。
【００５５】
コンベヤは、エンドレスコンベヤとして形成され、ワークピースキャリアを循環させることが可能であり、積載されたワークピースキャリアは、オペレーションステーション間を搬送され、空のワークピースキャリアは所定のポイント、例えばスタート点に戻される。
【００５６】
コンベヤは、ワークピースキャリアが自重による摩擦係合のみで支持及び移動される状態となるチェーン式であってよい。好ましくは、そのような摩擦は、コンベヤの動作に影響を与えずにワークピースキャリアが停止できるように比較的低い。
【００５７】
矢印は例示的なフロー方向を示す。
【００５８】
各ワークピースキャリアＷＰＣは、コンベヤ係合部及びワークピース支持部を備えてよい。当該ワークピース支持部は、単に水平面等であってよいが、さらに固定あるいは停止装置を備えてよく、ワークピースは所定の配列をも伴って、確実に循環移動され得る。
【００５９】
各ワークピースキャリアは、１つのワークピースを運ぶよう適用される、あるいは２つ以上のワークピースを運ぶよう適用され得る。
【００６０】
ワークピースキャリアＷＰＣは、また、メモリタグＴを備え、これは機械で読み取り及び書き込み可能である。前記タグは、ワークピースの種類及びワークピースの次の行き先のアドレスに関する情報のみを含むものであってよい。
【００６１】
例えば、ワークピースの種類は、システムによって処理することが可能なワークピースの各種類についての所定の値の態様にあり、特定の値がワークピースキャリアが空であることを示すものであってよい。
【００６２】
アドレスは、いくつかの部分を含んでよく、例えば一つの部分はどの分配ハイウェイへ進むのかを示し、他の部分はどのオペレーションステーションへ進むのかを示す。
【００６３】
メモリタグは、任意の種類のコード、ストレージ及びインターフェイス技術を用いてよい。例えば、データストレージは、電子式、磁気式、機械式あるいは光学式であってよいが、これらに限定されない。
【００６４】
インターフェイス技術は、ＲＦＩＤ、ＮＦＣ、ｗｉｆｉ（登録商標）、ブルートゥース（登録商標）、電気式、誘導式、磁気式、あるいは光学式であってよい。
【００６５】
別の選択肢として、メモリタグは、ワークピース自体、例えばワークピースの認識可能な機能によって供されてもよい。例えば、ワークピースは、カメラ等を用いて視覚的に検査され、特定のオペレーションが行われたか否かが判別される。
【００６６】
オペレーションユニットコンベヤＯＣＵ１、ＯＣＵ２，ＯＵＣ３、ＯＣＵ４は、エンドレスチェーン式コンベヤとしても形成されてもよい。便利なことに、オペレーションユニットコンベヤは、分配ハイウェイコンベヤと同じ搬送技術及び設計を採用してもよい。
【００６７】
オペレーションユニットコンベヤは、従って、対応する分配ハイウェイコンベヤとの交差点を備えるエンドレスループとして動作し、ワークピースキャリアは、オペレーションユニットコンベヤと分配ハイウェイコンベヤとの間を移動し得る。交差点は、オペレーションユニット切り替え制御装置によって制御されるが、これについては後述する。
【００６８】
オペレーションユニットコンベヤ上には、少なくとも１つのオペレーションステーションがある。つまり、少なくとも１つのオペレーションがステーションにおいてワークピースに行われる。
【００６９】
オペレーションは、例えば、これらに限定されないが、機械加工（例えば、ラス張り、切断、フライス削り、ドリル加工、研削)、接着（溶接、半田付け、ろう付け、接着剤による接着、溶融接着等)、検査（例えば、測定、スキャン)、表面処理（例えば、塗装、ブラスティング、ポリッシュ、電気めっき、ＰＶＤあるいは他の種の材料堆積)、アセンブリング、テストあるいはパッケージング等の１つ以上の製造関連動作である。オペレーションは、完全あるいは部分的に自動化されていてもよいし、完全に手動であってもよい。
【００７０】
フローバランシングコンベヤＦＢＣもまた、エンドレスチェーン式コンベヤとして形成されてもよい。便利なことに、フローバランシングコンベヤは、分配ハイウェイコンベヤと同じ搬送技術及び設計を採用してもよい。
【００７１】
フローバランシングコンベヤは、従って、対応する分配ハイウェイコンベヤとの交差点を備えるエンドレスループとして動作し、ワークピースキャリアは、分配ハイウェイコンベヤとフローバランシングコンベヤとの間を移動し得る。交差点は、各フローバランシング切り替え制御装置によって制御されるが、これについては後述する。
【００７２】
オペレーションユニット切り替え制御装置（ＯＵＣＤＸ）１１ａ、１１ｂ、１１ｃ、１１ｄは、分配ハイウェイコンベヤとオペレーションユニットコンベヤとの間の各交差点に配置される。
【００７３】
図２を参照すると、ＯＵＣＤＸ１１は、制御部１１１と、記憶部１１２と、切り替え機構Ｘを制御する切り替え作動部ＣＤＸと、分配ハイウェイコンベヤあるいはオペレーションユニットコンベヤに到達したワークピースを検出するワークピースキャリア検出部ＷＤと、分配ハイウェイコンベヤ及びオペレーションユニットコンベヤ上の停止機構Ｓを制御する停止作動部ＣＤＳと、メモリタグ読み取り部ＴＲとを備える。
【００７４】
ＯＵＣＤＸは、また、対応するオペレーションステーションＯＳ１、ＯＳ２、ＯＳ３、ＯＳ４（図１）へのキューが満載であるかを検出するように構成されたキュー検出部ＱＤを備える。
【００７５】
制御部１１１は、自律式制御装置である。つまり、制御装置は、任意の外部ユニットからいかなる制御信号を受けることなくＯＵＣＤＸとして動作するために必要な動作命令を含む。
【００７６】
ＯＵＣＤＸは、以下のように機能し得る。
【００７７】
分配ハイウェイコンベヤＤＨＣ上のワークピースキャリア検出部ＤＷは、ワークピースキャリアＷＰＣが分配ハイウェイコンベヤＤＨＣに到達することを示す信号を制御部１１１に提供する。
【００７８】
任意に、ワークピースキャリアは、停止機構Ｓによって停止されてもよい。
【００７９】
停止機構は、好ましくは、電気的に作動する停止機構である。つまり、停止機構を駆動するアクチュエータは電動式である。アクチュエータの制御は、電気式、光学式、あるいは無線式である。
【００８０】
ワークピースキャリアのメモリタグＴは、タグ読み取り部ＴＲによって読み取られる。ワークピースキャリアのメモリタグ上のアドレスが、現在のオペレーションステーションのものでなければ、次のステップが行なわれる。
【００８１】
制御部１１１は、任意のワークピースキャリアＷＰＣがオペレーションユニットコンベヤＯＵＣに到達するか検出し、衝突のリスクがあるか判別し得る。
【００８２】
この場合、制御部１１１は、どのワークピースキャリアを優先するか決定し、このワークピースキャリアの搬送を進める。
【００８３】
ワークピースキャリアのメモリタグ上のアドレスが現在のオペレーションステーションのものである場合には、次のステップが行なわれる。
【００８４】
制御部１１１は、キュー検出部ＱＤを用いて、オペレーションステーションへのキューが満載か検出する。そうである場合、ワークピースキャリアの分配ハイウェイコンベヤへの搬送の継続が許容される。
【００８５】
制御部１１１は、任意のワークピースキャリアがオペレーションユニットコンベヤに到達するか検出し、衝突のリスクがあるか判別する。
【００８６】
オペレーションユニットコンベヤに到達するワークピースキャリアがなく、オペレーションステーションへのキューが満載でなければ、制御部は、切り替え機構Ｘを作動させ、ワークピースキャリアがオペレーションユニットコンベヤに入り、オペレーションステーションへと移動することを許容する。
【００８７】
切り替え機構は、好ましくは、電気的に作動する切り替え機構である。つまり、切り替え機構を駆動するアクチュエータは電動式である。アクチュエータの制御は、電気式、光学式、あるいは無線式である。
【００８８】
オペレーションステーションＯＳ、ＯＳ１、ＯＳ２、ＯＳ３、ＯＳ４において、典型的には少なくとも１つのオペレーションステーション制御装置ＯＳＣＤ１２が配置され、これについて図３を参照して説明する。この制御装置は、オペレーションステーションへの及び／またはオペレーションステーションからのフローを制御するように構成される。
【００８９】
例えば、制御装置１２は、オペレーションステーションへのワークピースキャリアの到達を検出するように構成されてよい。そのような検出は、メモリタグ読み取り部あるいは任意の既存の検出器を介して行われる。任意に、既存の検出器による検出は、メモリタグ読み取り部による読み取りのトリガであってもよい。
【００９０】
オペレーションユニット制御装置１２、１２ａ、１２ｂ、１２ｃ、１２ｄは、制御部１２１と、記憶部１２２と、ワークピースキャリア検出部ＷＤと、タグ書き込み部ＴＷと、任意のワークピース存在検出部ＰＤと、任意のタグ読み取り部ＴＲとを備える。
【００９１】
制御装置１２は、停止アクチュエータＣＤＳ、つまり、ワークピースキャリアを停止することができる停止機構Ｓを駆動するアクチュエータを制御し得る。好ましくは、当該停止は、オペレーションユニットコンベヤの動作に影響を与えずに達成される。つまり、ワークピースキャリアの移動がブロックされている間に、コンベヤＯＵＣは動き続ける。
【００９２】
停止機構は、好ましくは、電気的に作動する停止機構である。つまり、停止機構を駆動するアクチュエータは電動式である。アクチュエータの制御は、電気式、光学式、あるいは無線式である。
【００９３】
メモリタグ読み取り部ＴＲは、ワークピースの種類及びオペレーションアドレスを識別してよい。オペレーションアドレスが現在のオペレーションステーションのものである場合、オペレーションを開始してもよい。ワークピースキャリアがオペレーションユニットコンベヤへ入ることでメモリタグを読まれた場所には、メモリタグ読み取り部は必須ではない。
【００９４】
コンベヤＯＵＣ上にある間にワークピースにオペレーションが行われない場所に、ワークピース移動機構１２３を（任意で）設けても良い。当該機構はロボットを含んでもよい。あるいは、移動は手動で行われてもよい。
【００９５】
従って、ワークピースがまだキャリア上にある間にオペレーションを行なってもよい。あるいは、ワークピース及び任意にワークピースキャリアを、オペレーションユニットコンベヤから、オペレーションが行われるオペレーションステーションＯＳ、ＯＳ１、ＯＳ２、ＯＳ３、ＯＳ４に移動してもよい。
【００９６】
制御装置１２１は、オペレーションが完了し、ワークピースを移動する準備ができていることを示す信号を受信するように構成されてよい。当該信号は、オペレーションステーション、移動機構１２３、あるいは手動で供給される。
【００９７】
当該信号を受信することで、制御装置１２１は、次のオペレーションステーションのアドレスを供給し、タグ書き込み部ＴＷによって当該アドレスをメモリタグに書き込む。次に、制御装置１２１は、停止アクチュエータＣＤＳを作動させてワークピースキャリアをリリースする。続いて、ワークピースキャリアは、オペレーションユニット切り替え制御装置ＯＵＣＤＸに向かって移動することが許容される。
【００９８】
任意に、同一のオペレーションユニットコンベヤ上に別のオペレーションステーションを設けてもよく、この場合、上記のオペレーションが繰り返される。
【００９９】
フローバランシング切り替え制御装置（ＦＢＣＤＸ）１３、１３ａ、１３ｂについて、図４を参照して説明する。各フローバランシングコンベヤに対して、少なくとも２つのＦＢＣＤＸが、対応する分配ハイウェイコンベヤそれぞれに１つ配置される。従って、本開示の実施の形態において、２つのＦＢＣＤＸが配置され、それぞれが自律動作する。代替的に、フローバランサ用の切り替え制御装置は、１つの自律式フローバランシング切り替え制御装置がフローバランシングコンベヤに対応した両スイッチを制御するように一体化されてもよい。
【０１００】
ＦＢＣＤＸは、記憶部１３２を有する制御部１３１と、切り替え機構Ｘを制御する切り替えアクチュエータＣＤＸと、分配ハイウェイコンベヤＤＨＣあるいはフローバランシングコンベヤＦＢＣにワークピースが到達することを検出するためのワークピースキャリア検出部ＷＤと、タグ読み取り部ＴＲとを備える。ＦＢＣＤＸは、さらに、各停止機構Ｓを制御する停止アクチュエータＣＤＳを備える。ＦＢＣＤＸ１３、１３ａ、１３ｂは、さらに、フローバランシングコンベヤに対応した別のＦＢＣＤＸへのキューが満載か検出するように構成されたキュー検出部ＱＤを備えても良い。
【０１０１】
制御部１３１は、自律式制御装置である。つまり、制御装置は、任意の外部ユニットからいかなる制御信号を受信することなくＦＢＣＤＸとして動作するのに必要な動作命令を含む。
【０１０２】
例示した例においては、２つのフローバランシング切り替え制御装置ＦＢＣＤＸ１、ＦＢＣＤＸ２が設けられる。
【０１０３】
ＦＢＣＤＸ１は、以下のように動作する。
【０１０４】
分配ハイウェイコンベヤＤＨＣ上のワークピースキャリア検出部ＷＤは、ワークピースキャリアが分配ハイウェイコンベヤＤＨＣに到達することを示す信号を制御部１３１に供給する。
【０１０５】
任意に、ワークピースキャリアは、停止アクチュエータＣＤＳによって制御される停止機構Ｓによって停止され得る。
【０１０６】
停止機構は、好ましくは、電気的に作動する停止機構であってよい。つまり、停止機構を駆動するアクチュエータは、電動式である。アクチュエータの制御は、電気式、光学式、あるいは無線式である。
【０１０７】
ワークピースキャリアのメモリタグＴは、タグ読み取り部ＴＲによって読み取られる。ワークピースキャリアのメモリタグのアドレスが、ＯＳ３またはＯＳ４等のフローバランシングコンベヤの反対側に位置しているオペレーションステーションに対応する場合、次のステップが実行される。
【０１０８】
制御部１３１は、ＷＰＣが対応するＦＢＣ上にあることを示す更新済みのアドレスを提供し、このアドレスはメモリタグＴ書き込みされてよい。
【０１０９】
制御部１３１は、いずれかのワークピースキャリアがフローバランシングコンベヤに到達するか検出し、衝突のリスクがあるか判別してよい。
【０１１０】
フローバランシングコンベヤに到達するワークピースキャリアがなく、ＦＢＣＤＸ２へのキューが満載でない場合、制御部１３１は、切り替え機構Ｘを作動させ、ワークピースキャリアがフローバランシングコンベヤに入り、ＦＢＣＤＸ２に移動することを許容する。
【０１１１】
切り替え機構は、好ましくは、電気的に作動する切り替え機構であってよい。つまり、切り替え機構を駆動するアクチュエータは、電動式である。アクチュエータの制御は、電気式、光学式、あるいは無線式である。
【０１１２】
代替の一つとして、制御部１３１のカウンタは、ワークピースキャリアがフローバランシングコンベヤに入ることを許容されたことを示すようにインクリメントされる。
【０１１３】
カウンタの代替として、各キューにおけるあらゆるワークピースキャリア位置でのワークピースキャリアの存在／不存在を感知する検出部を、フローバランシングコンベヤ上に設けてもよく、物理的な位置あるいはキューの長さを、フローバランシングコンベヤへ／フローバランシングコンベヤからワークピースキャリアを受け取るかあるいはリリースすべきかについての基準として採用してもよい。
【０１１４】
アドレスが、フローバランシングコンベヤの反対側に位置するオペレーションステーションに対応しない場合、ワークピースは分配ハイウェイコンベヤ上で継続して搬送されることが許容される。
【０１１５】
ワークピースがフローバランシングコンベヤ上のＦＢＣＤＸ１に到達すると、制御部１３１は、以下のように動作する。
【０１１６】
制御部は、どのＤＨＣへと進むべきかを示す更新済みのアドレスを提供し、このアドレスはタグ書き込み部によってメモリタグＴに書き込みされてよい。
【０１１７】
制御部は、分配ハイウェイコンベヤＤＨＣ１に到達するワークピースキャリアに、衝突のリスクがないことを確認する。
【０１１８】
制御部は、フローバランシングコンベヤによってワークピースキャリアが受け取られたことを示すかどうか、カウンタの状態を確認する。そうでない場合には、ワークピースキャリアは、フローバランシングコンベヤを去ることが許容されない。
【０１１９】
しかしながら、フローバランシングコンベヤでワークピースキャリアが受け取られている場合、そのワークピースキャリアは、分配ハイウェイコンベヤＤＨＣ１への移動が許容される。
【０１２０】
ＦＢＣＤＸ２は、同様に動作する。
【０１２１】
従って、ワークピースキャリアは、それらが去ろうとする、ＦＢＣＤＸへのキューに空きがある限り、フローバランシングコンベヤへ進むことが許容される。しかしながら、別のワークピースキャリアが入る場合にのみ、ワークピースキャリアはフローバランシングコンベヤからリリースされる。
【０１２２】
積載されたワークピースキャリアは、典型的には、第１の分配ハイウェイコンベヤＤＨＣ１に到達し、空のワークピースキャリアは、第２の分配ハイウェイコンベヤＤＨＣ２に到達することが理解される。上記の方法によれば、積載されたワークピースキャリアは、同一の切り替え制御装置ＦＢＣＤＸ２で受け取られた各空のワークピースキャリア毎に、第２の分配ハイウェイコンベヤＤＨＣ２へ入ることが許容される。
【０１２３】
同様に、空のワークピースキャリアは、同一の切り替え制御装置ＦＢＣＤＸ1で受け取られた各積載されたワークピースキャリア毎に、第１の分配ハイウェイコンベヤＤＨＣ１へ入ることが許容される。
【０１２４】
上記のように、各制御部は、他のいかなる演算処理装置からも制御信号を受けず、自律式である。従って、正常運転中に、各制御部は、例えばワークピースキャリア検出部ＷＤ、タグ読み取り部ＴＲ、ワークピース存在検出部ＰＤ、あるいはキュー検出部ＱＤ等から検出部／センサ信号を受信し、それらの信号を処理して、例えば停止制御アクチュエータＣＤＳあるいは切り替え制御アクチュエータＣＤＸ等のアクチュエータ、あるいはタグ書き込み部ＴＷに制御信号を供給する。
【０１２５】
キュー検出部は、上記のように、フローバランシングコンベヤ上の、各キューにおける全ての各ワークピースキャリア位置における各ワークピースの存在／不存在を感知する検出器によって具現される点、理解されるところである。
【０１２６】
従って、各制御部は、少なくとも１セットの制御命令を含み、これは、例えばソフトウェアによって具現される。
【０１２７】
制御命令の各セット、つまり、各「プログラム」あるいは、「サブルーチン」は、１種以上のワークピースを扱うための命令を含んでよい。
【０１２８】
しかしながら、異なるセットの制御命令があってよく、それらは、コンフィグレーション処理を介して選択されてよく、選択はどのモードで制御装置を動作するかに基づいてなされる。当該選択は、各制御装置において手動で行われてもよく、あるいは以下に説明するフロー制御部を用いて行われてもよい。
【０１２９】
システムは、さらに、１つ以上のフロー制御部を備える。
【０１３０】
フロー制御部は、コンフィグレーションを提供するため、制御装置ＯＵＣＤＸ、ＦＢＣＤＸ、ＯＳＤＣと通信可能な装置であり、どのオペレーションのセットを実行するかについての命令を制御装置へ送信する。
【０１３１】
従って、フロー制御部は、制御装置を制御せず、単にコンフィグレーションを提供するのみである。
【０１３２】
各制御装置は、動作の間にいかなる中央装置と制御データを送受信せずに、自律的に動作する。
【０１３３】
従って、プログラミングは、実際の制御ではなく、ネットワークを介してフロー制御部によって実行されてよい。
【０１３４】
これは、終了したオペレーション、エラー、警報等のオペレーションデータの通信を排除するものではない。
【０１３５】
フロー制御部は、従って、各制御部のどのコンフィギュレーションが達成されるかによって、ユーザインターフェイスを備えてもよい。
【０１３６】
システムは、さらに、フロー制御部及び／または制御装置からデータを集めるよう配置された１つ以上のネットワークゲートウエイを備えてよい。
【０１３７】
システムは、例えば第１のオペレーションユニットコンベヤＯＵＣ１において、１つ以上のローディングステーションを備え、ワークピースを形成する出発材料あるいは製品が、ワークピースをシステム内で搬送するワークピースキャリアに積載され得る。ローディングステーションは、自動式あるいは手動式のローディングステーションであってよい。従って、第１のオペレーションユニットコンベヤＯＵＣ１のオペレーションステーションＯＳ１は、ローディングステーションであってよい。
【０１３８】
オペレーションステーションがローディングステーションを形成する場合、空のワークピースキャリアのアドレスは、ローディングステーションを形成する当該オペレーションステーションのアドレスであってよい。
【０１３９】
システムは、例えば最後のオペレーションユニットコンベヤＯＵＣ４において、１つ以上のアンローディングステーションを備えてよい。アンローディングステーションは、自動式あるいは手動式のアンローディングステーションであってよい。従って、最後のオペレーションユニットコンベヤＯＵＣ４におけるオペレーションステーションＯＳ４は、ローディングステーションであってよい。
【０１４０】
オペレーションステーションがアンローディングステーションを形成する場合、ワークピースキャリアの最後のアドレス、つまり、ワークピースに作業を行う最後のオペレーションステーションに割り当てられるアドレスは、アンローディングステーションを形成する当該オペレーションステーションのアドレスであってよい。次に、アンローディングステーションは、空のワークピースキャリアに新たなアドレスを割り当ててよく、このアドレスは、ローディングステーションを形成するオペレーションステーションのアドレスであってもよい。
【０１４１】
ワークピース存在検出部は、ワークピースがワークピースキャリア上に実際に存在するかを検出するよう配置されたセンサであってよい。当該検出部は、ワークピースが存在しない状態でオペレーションが試みられた場合に生じ得るダメージを防止するために用いられる。
【０１４２】
ワークピース存在検出部は、特にオペレーションステーションにおいて有用である。
【０１４３】
検出は、重量センサ、光線、機械式切り替えあるいはカメラを用いるような任意の公知の検出機構であってよい。
【０１４４】
本明細書に開示した原理は、数百の機械、従って数百のＯＵＣ、ＤＨＣ、及びＦＢＣを備えるコンベヤシステムに適用可能である。
【図１】
2019507079.tif 000003
【図２】
2019507079.tif 000004
【図３】
2019507079.tif 000005
【図４】
2019507079.tif 000006
【国際調査報告】
2019507079.tif 000007
2019507079.tif 000008